(57)【要約】      （修正有）【課題】ゼブラフィッシュなどの受精卵処理技術の簡素化及び生産性の向上が可能な受精卵保持用構造体を提供する。【解決手段】この受精卵保持用構造体は、ゼブラフィッシュなどの孵化体を個別に収容する飼育ウエル２１をもつ孵化体保持プレートと、各飼育ウエルにセットされる受精卵保持構造体とからなる。好適には、受精卵保持構造体は、孵化体保持プレート１上に載置される角枠部７１と、この角枠部から各飼育ウエル内に垂下する垂下壁７２とからなる。垂下壁は、飼育ウエルの底面からなる孵化体保持領域の一部に受精卵保持領域８を区画限定する。受精卵保持構造体は、受精卵への処理作業が完了した後、孵化体保持プレートから取り外される。【選択図】図４
2020020591.tif 000002
【特許請求の範囲】
【請求項１】
受精卵から孵化した孵化体を収容可能な上端開口のウエルが行列状に配置され、前記各ウエルは、前記孵化体を載置可能な透明底面を有する孵化体保持プレートと、前記ウエルの上方から前記ウエル内に垂下して、前記透明底面上に前記受精卵のサイズよりも僅かに広い受精卵保持領域を区画形成することにより、前記受精卵が前記受精卵保持領域から前記透明底面に沿って横方向へ逸脱するのを規制する受精卵保持構造体とを有し、
前記受精卵保持構造体は、前記孵化体保持プレートに着脱自在にセットされていることを特徴とする受精卵保持用構造体。
【請求項２】
前記受精卵保持構造体は、前記孵化体保持プレートの上端面に載置される枠部と、前記枠部から前記各ウエル内に垂下する垂下壁とを有し、
前記垂下壁は、前記透明底面部にほぼ達している請求項１記載の受精卵保持用構造体。
【請求項３】
前記垂下壁は、上端及び下端が開口する円錐形状又は角錐形状を有する請求項２記載の受精卵保持用構造体。
【請求項４】
前記孵化体はゼブラフィッシュである請求項１記載の受精卵保持用構造体。
【請求項５】
受精卵から孵化した孵化体を載置可能な透明底面を有する上端開口のウエルが行列状に配置される孵化体保持プレートと、前記ウエルの上方から前記ウエル内に垂下して前記透明底面上に前記受精卵のサイズよりも僅かに広い受精卵保持領域を区画形成する受精卵保持用構造体を準備し、かつ、前記受精卵保持領域に前記受精卵をセットする第１のステップと、
前記受精卵保持領域の前記受精卵から受精卵情報を分光学および画像的に取得する第２のステップと、
前記受精卵情報に基づいて前記受精卵の良否を判定する第３ステップと、
前記受精卵の孵化前に前記受精卵保持構造体を前記孵化体保持プレートから取り外す第４ステップと、
前記受精卵保持構造体が取り外された前記ウエル内にて成長した前記孵化体から孵化体情報を分光学および画像的に取得する第５ステップと、
を順次実行することを特徴とする受精卵検査方法。
【請求項６】
前記第３ステップは、前記受精卵に相当する略円形の領域を略円形の胚盤領域とそれ以外の卵黄領域に分別し、前記胚盤領域及び前記卵黄領域を互いに異なる判定方法により良否判定する請求項５記載の受精卵検査方法。
【請求項７】
前記孵化体はゼブラフィッシュである請求項５記載の受精卵検査方法。
【発明の詳細な説明】
【技術分野】
【０００１】
本発明は、受精卵保持構造体及びそれを用いる受精卵検査方法に関する。
【背景技術】
【０００２】
受精卵の利用が医学分野や製薬分野において注目されている。たとえば所定の薬液をゼブラフィッシュの受精卵に投与後、孵化したゼブラフィッシュを分光学および画像検査することにより、この薬液の作用効果が判定される。
【０００３】
特許文献１は、多数のゼブラフィッシュ用ウエルに個別に収容された多数のゼブラフィッシュを分光学および画像的に検査する技術を開示する。ハンドリング効率化のために、多数のゼブラフィッシュ用ウエルはゼブラフィッシュ用プレートの上面に行列状に形成される。
【０００４】
特許文献２は、多数の受精卵用ウエルに個別に収容された多数のゼブラフィッシュ受精卵を分光学および画像的に検査する技術を開示する。薬剤投与や分光学および画像検査において、受精卵の変位を防止する必要がある。このため、受精卵は、受精卵よりも少しだけ径大に形成された受精卵用ウエルに保持されねばならない。ハンドリング効率化のために、多数の受精卵用ウエルが受精卵用プレートの上面に行列状に形成される。
【０００５】
受精卵用プレートの受精卵用ウエルに配列された各受精卵に対する種々の作業の終了後、受精卵は、受精卵用プレートの受精卵用ウエルからゼブラフィッシュ稚魚用プレートのゼブラフィッシュ稚魚用ウエルへ移送される。受精卵はこのゼブラフィッシュ用ウエル内にて所定期間成長した跡、薬剤の影響が分光学および画像的に検査される。
【０００６】
けれども、たとえば約１mmといった非常に小さい直径をもつゼブラフィッシュの受精卵は、非常に薄く、傷付き易い卵壁をもつ。このため、受精卵を受精卵用プレートからゼブラフィッシュ用プレートへ配置替えする移送作業は容易ではなかった。このような微細な受精卵ハンドリング作業の複雑性は処理コストを増加させた。
【０００７】
さらに、移送作業における卵壁破損などにより受精卵の死亡率が増加増大した。この受精卵死亡率増加は、高価な薬液の無駄や生産性低下を招いた。結局、受精卵を受精卵用プレートからゼブラフィッシュ用プレートへの移送作業という自動化困難な作業工程が、種々の利点をもつにもかかわらず、ゼブラフィッシュ受精卵利用技術の普及を妨げていた。
【先行技術文献】
【特許文献】
【０００８】
【特許文献１】特許第６１８０１３４号公報
【特許文献２】特開２０１８−０７２０９４号公報
【発明の概要】
【０００９】
本発明は、ゼブラフィッシュなどの受精卵処理技術の簡素化及び生産性の向上をその目的としている。
【００１０】
本発明の受精卵保持用構造体は、ゼブラフィッシュのような孵化体を個別に収容するウエルをもつ孵化体保持プレートに、受精卵保持構造体を着脱自在に取り付けることにより、孵化体保持プレートの孵化体用ウエル内の所定の小領域に受精卵を所定期間だけ正確に保持する。
【００１１】
たとえば受精卵の分光学および画像検査や受精卵への薬液投与を行うこの期間の終了後、この受精卵保持構造体は、孵化体保持プレートから取り外される。これにより、孵化体は、広くなった孵化体用ウエル内にて必要なサイズとなるまで成長することができる。一般に、孵化体が孵化体用ウエルにて成長した後、必要な分光学および画像情報が孵化体から採取される。
【００１２】
結局、受精卵保持構造体により受精卵の変位を規制した状態で受精卵の分光学および画像検査やインジェクションを正確かつ高能率で実行することができる。さらに、受精卵保持構造体をこれらの処理完了後に孵化体保持プレートから取り外すことにより、孵化体が成長するのに十分な容積を孵化体用ウエル内に確保することができる。
【００１３】
受精卵保持領域と呼ばれる上記小領域は、孵化体検査において使用されるウエルの透明底面上に区画形成される。これにより、孵化体検査装置を用いて受精卵検査を実施することができる。受精卵の分光学および画像検査において、検査面積が限定されるため、検査時間を短縮することができる。良く知られているように、受精卵の検査は、受精卵の孵化直前の短時間が最も好適である。このため、多数の受精卵をシーケンシャルに分光学および画像検査する場合、１つの受精卵に割り当て可能な検査時間は非常に短くなる。
【００１４】
更に説明すると、受精卵の水平移動を規制可能な受精卵保持構造体が、孵化体用ウエル内の所定位置に受精卵保持領域を必要な時間だけ新設する。その結果、従来において必要であった受精卵保持プレートから孵化体保持プレートへの受精卵移送作業を省略することができ、生産性を向上することができる。さらに、受精卵の死亡率を激減させることにより、処理作業の生産性を大幅に向上することができる。
【００１５】
好適には、受精卵保持構造体は、孵化体保持プレートの上端面に載置される枠部から各孵化体用ウエル内に垂下する垂下壁を有し、垂下壁の下端部が受精卵の横ずれを規制する。これにより、枠部を上昇させることにより、この枠部に連結された多数の垂下壁を一斉に各孵化体用ウエルから取り外すことができる。
【００１６】
好適には、垂下壁は、上端及び下端が開口する円錐形状又は角錐形状をもつ。これにより、孵化体用ウエル内に投入された受精卵は、この垂下壁により、孵化体用ウエルの透明底面に形成された所定の受精卵保持領域に自動的に案内されることができる。
【００１７】
本発明の受精卵保持用構造体を用いる受精卵検査方法によれば、受精卵保持構造体を用いて孵化体用ウエルの透明底面の所定領域に受精卵をセットした後、各受精卵を分光学および画像的に検査する。次に、受精卵保持構造体を孵化体保持プレートから取り外し、孵化体をウエル内にて成長させる。その後、ウエル内の孵化体を分光学および画像的に検査する。これにより、受精卵及び孵化体の分光学および画像検査の生産性を向上することができる。
【００１８】
好適な受精卵の分光学および画像検査によれば、受精卵に相当する略円形の領域を略円形の胚盤領域とそれ以外の卵黄領域に分別し、胚盤領域及び卵黄領域を互いに異なる判定方法により良否判定する。これにより、受精卵の良否を正確かつ素早く実施することができる。
【図面の簡単な説明】
【００１９】
【図１】図１はゼブラフィッシュ稚魚保持プレートを示す部分平面図である。
【図２】図２は図１に示されるゼブラフィッシュ稚魚保持プレートの部分断面図である。
【図３】図３はゼブラフィッシュ保持プレートに載置された受精卵保持構造体を示す部分平面図である。
【図４】図４はゼブラフィッシュ保持プレート上に載置された受精卵保持構造体を示す部分断面図である。
【図５】図５は受精卵検査プロセスを示すフローチャートである。
【図６】図６は正常卵及び死卵の分光スペクトル強度を示す図である。
【図７】図７は正常卵の写真画像である。
【図８】図８は死卵の写真画像である。
【発明を実施するための形態】
【００２０】
孵化体としてゼブラフィッシュを採用する実施例が図面を参照して説明される。図１は、ゼブラフィッシュ稚魚保持プレート１の一部を示す部分平面図ある。図２は、図１に示されるゼブラフィッシュ稚魚保持プレート１のA-A線矢視垂直断面図である。
【００２１】
長方形の厚板形状のゼブラフィッシュ稚魚保持プレート１は、樹脂フレーム２と、樹脂フレーム２の底面に接着された薄い透明樹脂板３とからなる。なお、透明樹脂板３を補強するために、ゼブラフィッシュ及びその受精卵の分光学および画像的観察に支障が生じない部位にて、透明樹脂板３を補強するための樹脂板を追加することも可能である。
【００２２】
樹脂フレーム２は、行列状に形成された９６個の飼育ウエル２１及び９６個の排水ウエル２２をもつ。飼育ウエル２１及び排水ウエル２２はそれぞれ、樹脂フレーム２の厚さ方向に形成され、それらの上端は開口され、それらの下端は透明樹脂板３により遮蔽されている。
【００２３】
それぞれゼブラフィッシュを飼育可能なスペースをもつ飼育ウエル２１は、横方向へ１２個配列され、縦方向へ縦８個配列されている。図１において、１つの飼育ウエル２１だけが完全に図示されている。
【００２４】
飼育ウエル２１は、ゼブラフィッシュ４が横臥可能な長方形の透明底部２３と、この透明底部２３の周囲から立設された隔壁２４A、２４B、２４C、及び２４Dにより区画形成されている。図１及び図２において、ゼブラフィッシュ４は、縦方向に長い長方形の形状をもつ透明底部２３上に横臥している。
【００２５】
透明底部２３の長辺に接する２つの隔壁２４A及び２４Bの下部は斜設されている。これにより、飼育ウエル２１内の水が排出される時、ゼブラフィッシュ４は透明底部２３に誘導されることができる。透明底部２３の短辺に接する残りの２つの隔壁２４C及び２４Dは垂直に設置されている。
【００２６】
各排水ウエル２２は各飼育ウエル２１に個別に隣接している。隔壁２４A及び２４Bが長方形の上端開口を有する排水ウエル２２を飼育ウエル２１から分離している。隔壁２４Bの下端部は、左側の飼育ウエル２１及び右側の排水ウエル２２を連通する連通孔２５を有する。排水ウエル２２の水が上方へ吸い取られる時、飼育ウエル２１内の水は連通孔２５を通じて排水ウエル２２へ流れる。その結果、飼育ウエル２１内に下降水流が形成される。この下降水流はゼブラフィッシュを下方へ付勢する。図２において、水が飼育ウエル２１及び排水ウエル２２に水面５まで注入されている。
【００２７】
図３は、ゼブラフィッシュ保持プレート１上に受精卵保持構造体７を載置してなる受精卵保持用構造体を示す部分平面図である。受精卵保持構造体７の下方に隠れているゼブラフィッシュ保持プレート１は破線で示されている。図４は、図３のB-B線矢視垂直断面図である。
【００２８】
受精卵保持構造体７は、破線で示されるゼブラフィッシュ保持プレート１の上端面に載置される角枠部７１と、角枠部７１からゼブラフィッシュ保持プレート１の各飼育ウエル２１内に別々に垂下する多数の垂下壁７２とからなる。厚板状の角枠部７１は、長方形のゼブラフィッシュ保持プレート１とほぼ等しい長方形状をもつ。角枠部７１は、各ウエル１と同じ位置に形成された正方形の開口７３をもつ。受精卵はこの開口７３に投入される。
【００２９】
垂下壁７２は、角枠部７１の開口７３の周縁から下方へ向けて斜設されている。言い換えれば、垂下壁７２は、両端開口の四角錐状の筒からなる。垂下壁７２の下部は、透明底２３の中央部に位置する正方形の受精卵保持領域８の周囲に達している。垂下壁７２の４つの斜面のうち、長方形の透明底部２３の上に存在する一対の斜面は、受精卵保持領域８を挟んで対面する垂直突起７４A及び７４Bをもつ。
【００３０】
垂直突起７４A及び７４Bの下端は長方形の透明底部２３にほぼ達している。垂直突起７４A及び７４Bは、受精卵保持領域８上の受精卵９が透明底部２３に沿って変位することを禁止する。言い換えれば、角錐状の垂下壁７２は、受精卵９を受精卵保持領域８上へガイドするとともに、受精卵が受精卵保持領域８から横方向へ変位するのを規制する。
【００３１】
この実施例では、透明底部２３の長辺に接する２つの隔壁２４A及び２４Bの下部は斜めに形成されているが、隔壁２４A及び２４Bの下端部を垂直に降下させることにより、受精卵保持領域８内の受精卵９の横ずれをさらに抑止することも可能である。また、この実施例では、飼育ウエル２１は略円錐形状に形成されることができる。この場合、垂下壁７２も略円錐形状をもつことができる。
【００３２】
次に、上記説明された受精卵保持用構造体を用いたゼブラフィッシュ及び受精卵の処理プロセスが説明される。まず、受精卵保持構造体７が取り付けられたゼブラフィッシュ保持プレート１からなる受精卵保持用構造体が準備される。次に、ゼブラフィッシュの受精卵が受精卵保持構造体７の角枠部７１の開口７３に投入され、排水ウエル２２の水を上方へ吸い取ることにより、飼育ウエル２１内に下降水流を形成する。これにより、受精卵９が受精卵保持領域８内にセットされる。
【００３３】
次に、受精卵９に薬液を投与したり、受精卵９を分光学および画像検査したりする。次に、受精卵保持構造体７がゼブラフィッシュ保持プレート１から上方へ取り外される。その後、受精卵９から孵化したゼブラフィッシュは、拡大された飼育ウエル２１内で所定時間だけ成長される。次に、麻酔剤を水に混入することにより仮死状態となったゼブラフィッシュ４を透明底部２３上に横臥させる。この横臥は、排水ウエル２２の水を抜くことにより実行される。その後、ゼブラフィッシュ４が分光学および画像検査される。
【００３４】
受精卵９の分光学および画像検査プロセスが図５に示されるフローチャートを参照して詳しく説明される。まず、ステップS１００にて受精卵９の分光信号及び画像信号が取得される。図略の分光学および画像センサは、受精卵保持領域８に照射された紫外線により受精卵９から放射される分光スペクトルを電気信号に変換する。この電気信号は分光信号と呼ばれる。次に、図略の二次元イメージセンサは、受精卵９から画像信号を図略の画像プロセッサに出力する。
【００３５】
次のステップS１０２において、分光信号の強度が所定範囲内にあるか否かが判定される。分光信号の強度が所定範囲内にあれば、ステップS１０４にて、画像信号から略円形の受精卵領域を抽出し、さらに、この受精卵領域を略円形の胚盤領域と、この胚盤領域を囲むリング状の卵黄領域とに分別する。次に、ステップS１０６にて胚盤領域が正常か否かが判定され、ステップS１０８にて卵黄領域が正常か否かが判定される。次に、これらの判定結果がすべて正常であれば、受精卵は正常であると判定され（ステップS１１０）、そうでなければ、受精卵は不良であると判定される（ステップS１１２）。
【００３６】
この実施例によれば、分光強度判定、胚盤領域の画像判定、及び卵黄領域の画像判定の３つの結果により受精卵の良否を判別するため、不良受精卵を従来よりも精密に自動判定することができる。
【００３７】
まず、分光強度判定の詳細が図６-図８を参照してさらに詳しく説明される。図６は、正常卵及び死卵から得られる分光強度を示す図である。正常卵から得られる分光強度は、ほぼ死卵から得られるそれの半分以下であることがわかる。図７は正常卵の写真画像を示し、図８は死卵およびその後死卵となる写真画像を示す。正常卵画像には存在しない黒雲状の領域が死卵画像に存在することがわかる。死卵が高い分光強度をもつ理由は、この黒雲状の領域の存在によるものと推定される。
【００３８】
次に、胚盤領域の画像判定の詳細が図７及び図８を参照してさらに詳しく説明される。ほぼ円形の受精卵内は、ほぼ円形の胚盤領域とリング状の卵黄領域に明確に分別される。さらに、胚盤領域は濃いリング状輪郭部をもつことが理解される。死卵において、胚盤領域の外周輪郭は黒雲状の領域により不鮮明となっていることが理解される。この実施例によれば、胚盤領域を区画する外周輪郭が全周にわたって円形となっているか否かが判定され、外周輪郭が円形であれば、外周輪郭は正常と判定される。
【００３９】
次に、正常卵の胚盤領域内には、細胞分裂の結果として多くの小領域が密集していることがわかる。この密集する小領域群は、胚盤領域内から得られる画像信号が多くの高周波信号を含むことを意味する。したがって、この実施例によれば、胚盤領域内の画像信号のうち、その高周波信号の積分値が所定値以上であれば、胚盤領域は正常であると判定する。
【００４０】
次に、卵黄領域の画像判定の詳細が図７及び図８を参照してさらに詳しく説明される。図７に示される正常卵の卵黄領域は、特異形状の領域を含まず、均一の明度をもつことがわかる。これに対して、図８に示される死卵の卵黄領域は、黒雲状の濃色領域を含む。
すなわち、１）胚盤細胞のサイズと密度が不均一である。
２）胚盤細胞群の外周が著しく不整であり、時に窪みを認める。
３）胚盤細胞群の外周に空砲が認められる。
４）胚盤細胞と卵黄細胞の境界が不整である。
５）胚盤細胞と卵黄細胞の境界から両側へ、びまん性の黒色ゾーンが広く拡大する。
６）卵黄細胞領域に、粒子状構造物や空砲が、認められる。
したがって、この実施例によれば、卵黄領域の明度変化が所定レベル以下であれば、卵黄領域は正常であると判定する。
【００４１】
結局、この実施例の受精卵の良否判定は、不良卵が、胚盤領域及び卵黄領域にまたがる黒雲状の領域を発生することに着目してなされた。さらに、正常な細胞分裂を経て胚盤領域内には非常に多くの小領域が発生することに着目してなされた。これらの画像判定により、不良な受精卵を正確かつ速やかに自動判定することが可能となった。
【図１】
2020020591.tif 000003
【図２】
2020020591.tif 000004
【図３】
2020020591.tif 000005
【図４】
2020020591.tif 000006
【図５】
2020020591.tif 000007
【図６】
2020020591.tif 000008
【図７】
2020020591.tif 000009
【図８】
2020020591.tif 000010